(57)【要約】【課題】  簡単なユーザ操作で、複数のフォルダによって管理されている複数のコンテンツの中から、所望のコンテンツを選択する。【解決手段】  コンテンツ選択装置は、押下操作および回動操作が可能なジョグダイヤルがユーザ操作によって押下操作されたか否かを判断し、かつ、ジョグダイヤルがユーザ操作によって回動操作されたか否かを判断する判断手段と、ジョグダイヤルが押下操作されたと判断された場合、現在選択されているフォルダの次又は前のフォルダを選択し、かつ、選択されたフォルダに含まれる先頭のコンテンツを選択し、ジョグダイヤルが回動操作されたと判断された場合、現在選択されているコンテンツの次又は前のコンテンツを選択する選択手段とを備える。【選択図】図５
2010055660.tif 000002
【特許請求の範囲】
【請求項１】
コンテンツ記憶媒体に複数のフォルダを介して記録された複数のコンテンツの中からユーザ操作に応じて所望のコンテンツを選択するコンテンツ選択装置であって、
押下操作および回動操作が可能な操作部がユーザ操作によって押下操作されたか否かを判断し、かつ、前記操作部がユーザ操作によって回動操作されたか否かを判断する判断手段と、
前記操作部が押下操作されたと判断された場合、現在選択されているフォルダの次又は前のフォルダを選択し、かつ、選択されたフォルダに含まれる先頭のコンテンツを選択し、前記操作部が回動操作されたと判断された場合、現在選択されているコンテンツの次又は前のコンテンツを選択する選択手段とを備える、コンテンツ選択装置。
【請求項２】
前記判断手段が、前記選択手段によって選択されたコンテンツが再生されているか否かをさらに判断し、
前記操作部が押下操作されたと判断され、かつ、コンテンツが再生されていると判断された場合、前記選択手段が、現在選択されているフォルダの次又は前のフォルダを選択し、選択されたフォルダに含まれる先頭のコンテンツを選択し、かつ、選択されたコンテンツを再生させ、
前記操作部が回動操作されたと判断され、かつ、コンテンツが再生されていると判断された場合、前記選択手段が、現在選択されているコンテンツの次又は前のコンテンツを選択し、かつ、選択されたコンテンツを再生させる、請求項１に記載のコンテンツ選択装置。
【請求項３】
前記操作部が押下操作されたと判断され、かつ、コンテンツが再生されていないと判断されたとき、前記判断手段が、フォルダ選択モードであるか否かをさらに判断し、フォルダ選択モードであると判断された場合、前記選択手段が、現在選択されているフォルダの先頭のコンテンツを選択し、フォルダ選択モードでないと判断された場合、前記選択手段が、現在選択されているコンテンツを再生開始させ、
前記操作部が回動操作されたと判断され、かつ、コンテンツが再生されていないと判断されたとき、前記判断手段が、フォルダ選択モードであるか否かをさらに判断し、フォルダ選択モードであると判断された場合、前記選択手段が、現在選択されているフォルダの次又は前のフォルダを選択し、フォルダ選択モードでないと判断された場合、前記選択手段が、現在選択されているコンテンツの次又は前のコンテンツを選択する、請求項２に記載のコンテンツ選択装置。
【請求項４】
前記判断手段が、前記選択手段によって選択されたコンテンツが再生されているか否かをさらに判断し、
前記操作部が押下操作されたと判断され、かつ、コンテンツが再生されていると判断された場合、前記選択手段が、現在選択されているフォルダの次のフォルダを選択し、かつ、選択されたフォルダに含まれる先頭のコンテンツを選択し、
前記操作部が押下操作されたと判断され、かつ、コンテンツが再生されていないと判断された場合、前記選択手段が、現在選択されているフォルダの前のフォルダを選択し、かつ、選択されたフォルダに含まれる先頭のコンテンツを選択する、請求項１〜３のいずれかに記載のコンテンツ選択装置。  
【請求項５】
前記判断手段が、前記コンテンツ記憶媒体に複数のフォルダが存在するか否かをさらに判断し、
前記操作部が押下操作されたと判断され、かつ、複数のフォルダが存在すると判断された場合、前記選択手段が、現在選択されているフォルダの次又は前のフォルダを選択し、かつ、選択されたフォルダに含まれる先頭のコンテンツを選択し、
前記操作部が押下操作されたと判断され、かつ、複数のフォルダが存在しないと判断された場合、前記選択手段が、現在選択されているコンテンツの次又は前のコンテンツを選択する、請求項１〜４のいずれかに記載のコンテンツ選択装置。
【請求項６】
前記判断手段が、前記コンテンツ記憶媒体にフォルダが存在するか否かをさらに判断し、
前記操作部が押下操作されたと判断され、かつ、フォルダが存在すると判断された場合、前記選択手段が、現在選択されているフォルダの次又は前のフォルダを選択し、かつ、選択されたフォルダに含まれる先頭のコンテンツを選択し、
前記操作部が押下操作されたと判断され、かつ、フォルダが存在しないと判断された場合、前記選択手段が、現在選択されているコンテンツの次又は前のコンテンツを選択する、請求項１〜４のいずれかに記載のコンテンツ選択装置。
【請求項７】
複数種類の放送データの中から所望の種類の放送データを選択する放送種類選択手段と、
選択された種類の放送データの複数のチャンネルの中から所望のチャンネルを選択するチャンネル選択手段とをさらに備え、
前記操作部が押下操作されたと判断された場合、前記放送種類選択手段が、現在選択されている放送データの種類の次又は前の放送データの種類を選択し、前記操作部が回動操作されたと判断された場合、前記チャンネル選択手段が、現在選択されている放送データの種類において、現在選択されているチャンネルの次又は前のチャンネルを選択する、請求項１〜６のいずれかに記載のコンテンツ選択装置。
【請求項８】
請求項１〜７のいずれかに記載のコンテンツ選択装置の各手段をコンピュータに実行させるコンピュータプログラム。
【発明の詳細な説明】
【技術分野】
【０００１】
本発明は、複数のコンテンツの中から所望のコンテンツを選択するコンテンツ選択装置に関する。
【背景技術】
【０００２】
ＣＤプレーヤ、ＭＤプレーヤ、ＡＭチューナ及びＦＭチューナ等を内蔵した増幅装置（システムコンポ）が市販されている。ＣＤプレーヤ及びＭＤプレーヤで再生されるディスクには多数の曲データ（ＭＰ３ファイル、ＡＴＲＡＣデータ等）が記録可能であり、複数のフォルダ又はグループによってこれらの曲データを管理できるようになっている。ディスクに記録された多数の曲データの中から所望の曲データを探して選択するために、増幅装置にはジョグダイヤル及びフォルダボタン等の操作部が設けられている。
【０００３】
曲データを選択する場合、ユーザ操作によってフォルダボタンが押下されると、増幅装置はフォルダ選択モードに移行する。フォルダ選択モードにおいて、ユーザ操作によってジョグダイヤルが回転されると、増幅装置の表示部に表示される（すなわち選択される）フォルダがジョグダイヤルの回転に応じて切り換えられる。所望のフォルダが選択されている状態で、ユーザ操作によってジョグダイヤルが押下されると、選択されているフォルダに決定され、フォルダ選択モードが解除されて、決定されたフォルダ内の先頭の曲名が表示部に表示される。この状態で、ユーザ操作によってジョグダイヤルが回転されると、表示部に表示される（すなわち選択される）曲データがジョグダイヤルの回転に応じて切り換えられる。所望の曲が選択されている状態で、ユーザ操作によってジョグダイヤルが押下されると、選択されている曲データに決定され、決定された曲データが再生開始される。
【０００４】
以上のように、１つのジョグダイヤルの回転操作であっても、フォルダ選択モードであるか否かによって、フォルダの選択処理または曲データの選択処理といった異なる選択処理が実行されるようになっており、これによりジョグダイヤル及びフォルダボタンを用いて、フォルダによって管理された多数の曲データの中から所望の曲データを選択することができる。しかし、この操作方法では、曲データを選択する際に選択対象のフォルダを変更する場合には、必ず、一旦フォルダボタンを押下してフォルダ選択モードに移行させてからジョグダイヤルを回転させてフォルダを選択し、その後、ジョグダイヤルを押下する操作が必要であり、その操作が煩雑である。これは、ジョグダイヤルの押下が決定ボタンとしての機能を有しているからである。
【０００５】
また、ＡＭチューナ及びＦＭチューナの各チャンネル（例えば、放送局の周波数であって、例えばプリセット登録されたもの）の中から所望のチャンネルを選択する場合にも同様に操作が煩雑である。例えば、増幅装置には入力セレクタをＡＭチューナとＦＭチューナとの間で切り換えるために入力切換ボタン（又はバンド切換ボタン）をさらに有している。まず、入力切換ボタンを押下してＡＭチューナとＦＭチューナとの所望の方を選択した後に、ジョグダイヤルを回転させて、ＡＭチューナ又はＦＭチューナの所望のチャンネルを選択する必要がある。
【０００６】
【特許文献１】特開２００４−４６６４５号公報
【発明の開示】
【発明が解決しようとする課題】
【０００７】
本発明は上記従来の課題を解決するためのものであり、その目的は、簡単なユーザ操作で、複数のフォルダによって管理されている複数のコンテンツの中から、所望のコンテンツを選択できるコンテンツ選択装置を提供することである。
【課題を解決するための手段】
【０００８】
本発明の好ましい実施形態によるコンテンツ選択装置は、コンテンツ記憶媒体に複数のフォルダを介して記録された複数のコンテンツの中からユーザ操作に応じて所望のコンテンツを選択するコンテンツ選択装置であって、押下操作および回動操作が可能な操作部がユーザ操作によって押下操作されたか否かを判断し、かつ、前記操作部がユーザ操作によって回動操作されたか否かを判断する判断手段と、前記操作部が押下操作されたと判断された場合、現在選択されているフォルダの次又は前のフォルダを選択し、かつ、選択されたフォルダに含まれる先頭のコンテンツを選択し、前記操作部が回動操作されたと判断された場合、現在選択されているコンテンツの次又は前のコンテンツを選択する選択手段とを備える。
【０００９】
この場合、１つの操作部によってフォルダを選択する処理と、コンテンツを選択する処理との両方を実行することができるので、ユーザ操作を非常に簡単化することができる。
【００１０】
好ましくは、前記判断手段が、前記選択手段によって選択されたコンテンツが再生されているか否かをさらに判断し、前記操作部が押下操作されたと判断され、かつ、コンテンツが再生されていると判断された場合、前記選択手段が、現在選択されているフォルダの次又は前のフォルダを選択し、選択されたフォルダに含まれる先頭のコンテンツを選択し、かつ、選択されたコンテンツを再生させ、前記操作部が回動操作されたと判断され、かつ、コンテンツが再生されていると判断された場合、前記選択手段が、現在選択されているコンテンツの次又は前のコンテンツを選択し、かつ、選択されたコンテンツを再生させる。
【００１１】
コンテンツが再生されている場合のみ、操作部の押下操作によってフォルダを選択する処理を実行し、操作部の回動操作によってコンテンツを選択する処理を実行するようにしているが、この理由は、コンテンツを再生しているときは操作部の操作によってコンテンツの選択を決定し、決定されたコンテンツを再生開始する処理が不要であるからである。
【００１２】
好ましくは、前記操作部が押下操作されたと判断され、かつ、コンテンツが再生されていないと判断されたとき、前記判断手段が、フォルダ選択モードであるか否かをさらに判断し、フォルダ選択モードであると判断された場合、前記選択手段が、現在選択されているフォルダの先頭のコンテンツを選択し、フォルダ選択モードでないと判断された場合、前記選択手段が、現在選択されているコンテンツを再生開始させ、前記操作部が回動操作されたと判断され、かつ、コンテンツが再生されていないと判断されたとき、前記判断手段が、フォルダ選択モードであるか否かをさらに判断し、フォルダ選択モードであると判断された場合、前記選択手段が、現在選択されているフォルダの次又は前のフォルダを選択し、フォルダ選択モードでないと判断された場合、前記選択手段が、現在選択されているコンテンツの次又は前のコンテンツを選択する。
【００１３】
この場合、コンテンツが再生されていない場合には、操作部の押下操作を使用して選択されたコンテンツを再生開始することができる。
【００１４】
好ましくは、前記判断手段が、前記選択手段によって選択されたコンテンツが再生されているか否かをさらに判断し、前記操作部が押下操作されたと判断され、かつ、コンテンツが再生されていると判断された場合、前記選択手段が、現在選択されているフォルダの次のフォルダを選択し、かつ、選択されたフォルダに含まれる先頭のコンテンツを選択し、前記操作部が押下操作されたと判断され、かつ、コンテンツが再生されていないと判断された場合、前記選択手段が、現在選択されているフォルダの前のフォルダを選択し、かつ、選択されたフォルダに含まれる先頭のコンテンツを選択する。
【００１５】
この場合、コンテンツが再生されているか否かに基づいて、現在選択されているフォルダの次のフォルダを選択するか、又は、現在選択されているフォルダの前のフォルダを選択するかといった異なる処理を実行することができ、操作性を向上することができる。
【００１６】
好ましくは、前記判断手段が、前記コンテンツ記憶媒体に複数のフォルダが存在するか否かをさらに判断し、前記操作部が押下操作されたと判断され、かつ、複数のフォルダが存在すると判断された場合、前記選択手段が、現在選択されているフォルダの次又は前のフォルダを選択し、かつ、選択されたフォルダに含まれる先頭のコンテンツを選択し、前記操作部が押下操作されたと判断され、かつ、複数のフォルダが存在しないと判断された場合、前記選択手段が、現在選択されているコンテンツの次又は前のコンテンツを選択する。
【００１７】
この場合、操作部が押下された場合でも、フォルダが複数存在しない場合には、フォルダの選択処理ではなく、コンテンツの選択処理が実行される。従って、フォルダが１つ以下であるのにフォルダの選択処理が実行されて、ユーザ操作が無駄になるという問題を解決できる。
【００１８】
好ましくは、前記判断手段が、前記コンテンツ記憶媒体にフォルダが存在するか否かをさらに判断し、前記操作部が押下操作されたと判断され、かつ、フォルダが存在すると判断された場合、前記選択手段が、現在選択されているフォルダの次又は前のフォルダを選択し、かつ、選択されたフォルダに含まれる先頭のコンテンツを選択し、前記操作部が押下操作されたと判断され、かつ、フォルダが存在しないと判断された場合、前記選択手段が、現在選択されているコンテンツの次又は前のコンテンツを選択する。
【００１９】
この場合、操作部が押下された場合でも、フォルダが存在しない場合には、フォルダの選択処理ではなく、コンテンツの選択処理が実行される。従って、フォルダが存在しないのにフォルダの選択処理が実行されて、ユーザ操作が無駄になるという問題を解決できる。
【００２０】
好ましくは、複数種類の放送データの中から所望の種類の放送データを選択する放送種類選択手段と、選択された種類の放送データの複数のチャンネルの中から所望のチャンネルを選択するチャンネル選択手段とをさらに備え、前記操作部が押下操作されたと判断された場合、前記放送種類選択手段が、現在選択されている放送データの種類の次又は前の放送データの種類を選択し、前記操作部が回動操作されたと判断された場合、前記チャンネル選択手段が、現在選択されている放送データの種類において、現在選択されているチャンネルの次又は前のチャンネルを選択する。
【００２１】
この場合、１つの操作部によって放送種類選択処理と、チャンネル選択処理との両方を実行することができるので、ユーザ操作を非常に簡単化することができる。複数種類の放送データとは、例えば、ＦＭラジオとＡＭラジオとのようなラジオ放送、又は、地上デジタル放送とＢＳ放送とＣＳ放送とのようなＴＶ放送である。
【発明の効果】
【００２２】
１つの操作部によってフォルダを選択する処理と、コンテンツを選択する処理との両方を実行することができるので、ユーザ操作を非常に簡単化することができる。
【発明を実施するための最良の形態】
【００２３】
以下、本発明の好ましい実施形態について、図面を参照して具体的に説明するが、本発明はこれらの実施形態には限定されない。図１は、本発明の好ましい実施形態によるコンテンツ選択装置としての機能を含む増幅装置（システムコンポ）１の構成を示す概略ブロック図である。増幅装置１は、例えば、制御部１１、セレクタ部１２、リモコン信号受信部１３、操作部１５、ＵＳＢ端子１６、増幅回路１８、音声出力端子１９、表示部２０、ＣＤプレーヤ２１、ＭＤプレーヤ２２、ＨＤＤプレーヤ２３、ＦＭチューナ２４、ＡＭチューナ２５等を備える。なお、コンテンツとは、曲（音楽）データ、映像（画像）データ等の総称であり、本例では、曲データ（ＭＰ３ファイル、ＷＭＡ等の曲ファイル又はＡＴＲＡＣ形式の曲データ等）である。
【００２４】
ＵＳＢ端子１６には、ＵＳＢ端子を有するフラッシュメモリ（又は、ＤＡＰと呼ばれるフラッシュメモリ内蔵の携帯型プレーヤ）が接続可能になっており、フラッシュメモリに記録されている複数の曲データの中から選択された曲データが図示しない増幅装置１内のデコーダによってデコードされ、セレクタ部１２に供給される。ＣＤプレーヤ２１は挿入されたＣＤディスクに記録されている複数の曲データの中から選択された曲データを再生し、セレクタ部１２に供給する。ＭＤプレーヤ２２は挿入されたＭＤディスクに記録されている複数の曲データの中から選択された曲データを再生し、セレクタ部１２に供給する。ＨＤＤプレーヤ２３は内蔵されたＨＤＤに記録されている複数の曲データの中から選択された曲データを再生し、セレクタ部１２に供給する。ＦＭチューナ２４はＦＭラジオ放送データの選択されたチャンネルを受信し、セレクタ部１２に供給する。ＡＭチューナ２５はＡＭラジオ放送データの選択されたチャンネルを受信し、セレクタ部１２に供給する。
【００２５】
セレクタ部１２は、ＵＳＢ端子（及びデコーダ）１６、ＣＤプレーヤ２１、ＭＤプレーヤ２２、ＨＤＤプレーヤ２３、ＦＭチューナ２４、ＡＭチューナ２５から供給される音声信号の中から、増幅回路１８に供給する音声信号を１つ選択する。つまり、セレクタ部１２は、ＵＳＢ端子（及びデコーダ）１６、ＣＤプレーヤ２１、ＭＤプレーヤ２２、ＨＤＤプレーヤ２３、ＦＭチューナ２４、ＡＭチューナ２５の中から１つのコンテンツ再生装置を選択する。選択されたコンテンツ再生装置からの音声信号は、増幅回路１８で増幅され、音声出力端子１９を介して、図示しないスピーカーを介して音声として出力される。
【００２６】
操作部１５は、ユーザによって操作され、当該操作に対応する操作信号を制御部１１に供給する。操作部１５は、図２に示すようにジョグダイヤル１５ａとフォルダボタン１５ｂとを含む。ジョグダイヤル１５ａは、略円筒状の操作ツマミをその外観として含み、回動操作（右（時計）方向、又は、左（反時計）方向に回転操作）、及び、押下操作が可能になっている。フォルダボタン１５ｂは押下操作が可能になっている。ジョグダイヤル１５ａはフォルダや曲データの選択処理のために押下又は回動され、フォルダボタン１５ｂは再生停止時にフォルダ選択モードに移行するために押下される。
【００２７】
リモコン信号受信部１３は、リモコン送信機３０から受信した赤外線のリモコン信号を電気信号に変換し、制御部１１に供給する。リモコン送信機３０には、操作部１５と同様の機能を有するジョグダイヤル及びフォルダボタンが設けられてもよい。
【００２８】
制御部１１は、増幅装置１の各部を制御するものであり、マイコンやＣＰＵ等である。制御部１１は、内蔵又は接続されたメモリ１１ａに格納されているコンテンツ選択装置の動作プログラムに基づいて以下で説明する各処理を実行する。
【００２９】
制御部１１は、ＣＤプレーヤ２１、ＭＤプレーヤ２２、ＨＤＤプレーヤ２３およびＵＳＢ端子１６のうち、セレクタ部１２によって選択されているコンテンツ再生装置で再生可能な複数の曲データの中から、ユーザ操作に応じて所望の曲データを選択する。以下においては、セレクタ部１２がＣＤプレーヤ２１を選択し、ＣＤプレーヤ２１に挿入されているＣＤディスクに記録されている複数の曲データの中から再生すべき所望の曲データを選択する場合を例に説明する。
【００３０】
図３はＣＤディスクのデータ構造の一例を示す概念図である。複数の曲データは複数のフォルダ（ＭＤの場合にはグループと呼ばれる）によって管理されている。図３の例では、ＣＤディスクに、複数のフォルダＡ〜Ｃが存在し、フォルダＡ内には曲Ａ１〜曲Ａ５の５つの曲データが、フォルダＢ内には曲Ｂ１〜曲Ｂ６の６つの曲データが、フォルダＣ内には曲Ｃ１〜曲Ｃ４の４つの曲データが記録されている。なお、全てのフォルダが同じ階層に存在しているが、異なる階層に存在していてもよい（例えば、フォルダＢがフォルダＡの中に存在してもよい）。
【００３１】
以下、本例の動作を説明する。
図４は、制御部１１における曲データ選択処理の基本動作を示すフローチャートである。図５は、ジョグダイヤル１５ａの押下または回動に対する、選択（表示部２０に表示）されている曲データの推移を示す図である。最初、図５（ａ）のように、フォルダＡ内の先頭の曲データである曲Ａ１が選択されて、表示部２０に表示されているとする。なお、現在選択されているフォルダおよび曲データの情報はメモリ１１ａに記憶することによって管理されている。
【００３２】
制御部１１は、ユーザ操作によってジョグダイヤル１５ａが押下されたか否かを判断する（Ｓ１）。ジョグダイヤル１５ａが押下されないとき（Ｓ１でＮＯ）、Ｓ８に進む。一方、ジョグダイヤル１５ａが押下されたとき（Ｓ１でＹＥＳ）、制御部１１は、現在選択されているフォルダの次の（又は前の）フォルダまで選択フォルダをスキップし、当該フォルダを選択すると共に、当該フォルダ内の先頭の（１曲目の）曲データを選択し、表示部２０に表示させる。
【００３３】
例えば、フォルダＡ内の曲データ（曲Ａ１〜曲Ａ５）のいずれかが選択され、表示部２０に表示されている（例えば、図５（ａ）〜図５（ｃ））状態からジョグダイヤル１５ａが押下された場合、図５（ｄ）のように、次のフォルダＢが選択され、フォルダＢ内の先頭の曲データである曲Ｂ１が選択され、表示部２０に表示される。同様に、フォルダＢ内の曲データ（曲Ｂ１〜曲Ｂ６）のいずれかが選択され、表示部２０に表示されている（例えば、図５（ｄ）〜図５（ｆ））状態からジョグダイヤル１５ａが押下された場合、図５（ｇ）のように、次のフォルダＣが選択され、フォルダＣ内の先頭の曲データである曲Ｃ１が選択され、表示部２０に表示される。
【００３４】
続いて、制御部１１は、ユーザ操作によってジョグダイヤル１５ａが回動されたか否かを判断する（Ｓ８）。ジョグダイヤル１５ａが回動されないとき（Ｓ８でＮＯ）、Ｓ１に戻る。一方、ジョグダイヤル１５ａが回動されたとき（Ｓ８でＹＥＳ）、制御部１１は、現在選択されている曲データの次の（又は前の）曲データまでスキップし、当該曲データを選択し、表示部２０に表示させる。
【００３５】
例えば、ジョグダイヤル１５ａが右方向（時計方向）に回転されたとき、制御部１１は、現在選択されている曲データの次の曲データまでスキップし、当該曲データを選択し、表示部２０に表示させる。例えば、図５（ｄ）のように曲Ｂ１が選択されている状態でジョグダイヤル１５ａが右方向に回転された場合、図５（ｅ）のように次の曲Ｂ２が選択され表示される。また、フォルダＢの最後の曲Ｂ６が選択されている状態でジョグダイヤル１５ａが右方向に回転された場合、図５（ｇ）のように次の曲Ｃ１が選択され表示される（すなわち、フォルダの境界は関係なく次の曲が選択される。但し、これに限定されず、フォルダ内だけで曲が選択されるようにしてもよい。以下同様）。
【００３６】
一方、ジョグダイヤル１５ａが左方向（反時計方向）に回転されたとき、制御部１１は、現在選択されている曲データの前の曲データまでスキップし、当該曲データを選択し、表示部２０に表示させる。例えば、図５（ｅ）のように曲Ｂ２が選択されている状態でジョグダイヤル１５ａが左方向に回転された場合、図５（ｄ）のように前の曲Ｂ１が選択され表示される。また、図５（ｇ）のように曲Ｃ１が選択されている状態で、ジョグダイヤル１５ａが左方向に回転された場合、前の曲であるフォルダＢの最後の曲Ｂ６が選択されて表示される（すなわち、フォルダの境界は関係なく前の曲が選択される）。
【００３７】
以上のように、本処理によるとジョグダイヤル１５ａの押下および回動のみによって、フォルダ選択処理と曲データ選択処理とを実行できるので、操作を非常に簡単化することができる。
【００３８】
図６は、制御部１１における曲データ選択処理の詳細動作を示すフローチャートである。図６では、図４のようにジョグダイヤル１５ａの押下によって選択フォルダをスキップする処理を曲データの再生中に限定しており、再生停止中にジョグダイヤル１５ａが押下された場合には決定処理を実行するようにしている。これは、再生停止中には、曲データが選択されている状態でジョグダイヤル１５ａが押下された際に曲データの選択を決定し、選択された曲データの再生を開始するためである。この場合に、フォルダ選択処理を実行する際にはフォルダボタン１５ｂを押下してフォルダ選択モードに移行した後に、ジョグダイヤル１５ａを回動させる。なお、これに限定されず、選択された曲データを再生開始する再生ボタンを別途設ける場合には、再生停止中にも、図４のようにジョグダイヤル１５ａの押下によって選択フォルダをスキップする処理が実行されてもよい。
【００３９】
制御部１１は、ユーザ操作によってジョグダイヤル１５ａが押下されたか否かを判断する（Ｓ１）。ジョグダイヤル１５ａが押下されないとき（Ｓ１でＮＯ）、Ｓ８に進む。一方、ジョグダイヤル１５ａが押下されたとき（Ｓ１でＹＥＳ）、制御部１１は選択された曲データを再生しているか否かを判断する（Ｓ２）。選択された曲データを再生している場合（Ｓ２でＹＥＳ）、制御部１１は、現在選択されているフォルダの次の（又は前の）フォルダまで選択フォルダをスキップし、当該フォルダを選択すると共に、当該フォルダの先頭の曲データを選択し、表示部２０に表示させる。さらに、制御部１１は新たに選択された曲データを再生開始させる。
【００４０】
一方、選択された曲データを再生していない場合（Ｓ２でＮＯ）、制御部１１は、再生停止状態であるか否かを判断する（Ｓ４）。再生停止状態でなければ（Ｓ４でＮＯ）、Ｓ８に進む。一方、再生停止状態であれば（Ｓ４でＹＥＳ）、制御部１１はフォルダ選択モードであるか否かを判断する（Ｓ５）。フォルダボタン１５ｂがユーザ操作によって押下されたとき、制御部１１はフォルダ選択モードに移行する。例えば、フォルダ選択モードに移行するとはフォルダ選択モードであることをメモリ１１ａに記憶することを意味し、フォルダ選択モードを解除するとはフォルダ選択モードであることの記憶をメモリ１１ａから消去することを意味する。
【００４１】
フォルダ選択モードでなければ（Ｓ５でＮＯ）、制御部１１は、現在選択され表示部２０に表示されている曲データの選択を決定し、再生開始させる。例えば、曲Ｂ１が選択され表示部２０に表示されているときに、ジョグダイヤル１５ａが押下されると、曲Ｂ１が再生開始される。一方、フォルダ選択モードであれば（Ｓ５でＹＥＳ）、制御部１１は、現在選択されて表示されているフォルダの先頭の曲データを選択し（つまり、フォルダを決定し）、表示部２０に表示させる。そして、制御部１１は、フォルダ選択モードを解除する。例えば、フォルダＢが選択され表示部２０に表示されているときに、ジョグダイヤル１５ａが押下されると、曲Ｂ１が選択され、表示部２０に表示される。
【００４２】
続いて、制御部１１は、ユーザ操作によってジョグダイヤル１５ａが回動されたか否かを判断する（Ｓ８）。ジョグダイヤル１５ａが回動されないとき（Ｓ８でＮＯ）、Ｓ１に戻る。一方、ジョグダイヤル１５ａが回動されたとき（Ｓ８でＹＥＳ）、制御部１１は選択された曲データを再生しているか否かを判断する（Ｓ９）。選択された曲データを再生している場合（Ｓ９でＹＥＳ）、制御部１１は、現在選択されている曲データの次の（又は前の）曲データまでスキップし、当該曲データを選択し、表示部２０に表示させる。そして、制御部１１は新たに選択された曲データを再生開始させる。
【００４３】
例えば、ジョグダイヤル１５ａが右方向（時計方向）に回転されたとき、制御部１１は、現在選択されている曲データの次の曲データまでスキップし、当該曲データを選択し、表示部２０に表示させ、再生開始させる。一方、ジョグダイヤル１５ａが左方向（反時計方向）に回転されたとき、制御部１１は現在選択されている曲データの前の曲データまでスキップし、当該曲データを選択し、表示部２０に表示させ、再生開始させる。
【００４４】
一方、選択された曲データを再生していない場合（Ｓ９でＮＯ）、制御部１１は、再生停止状態であるか否かを判断する（Ｓ１１）。再生停止状態でなければ（Ｓ１１でＮＯ）、Ｓ１に戻る。一方、再生停止状態であれば（Ｓ１１でＹＥＳ）、制御部１１はフォルダ選択モードであるか否かを判断する（Ｓ１２）。
【００４５】
フォルダ選択モードでなければ（Ｓ１２でＮＯ）、制御部１１は現在選択されている曲データの次の（又は前の）曲データまでスキップし、当該曲データを選択し、表示部２０に表示させる。例えば、ジョグダイヤル１５ａが右方向（時計方向）に回転されたとき、制御部１１は現在選択されている曲データの次の曲データまでスキップし、当該曲データを選択し、表示部２０に表示させる。一方、ジョグダイヤル１５ａが左方向（反時計方向）に回転されたとき、制御部１１は現在選択されている曲データの前の曲データまでスキップし、当該曲データを選択し、表示部２０に表示させる。
【００４６】
フォルダ選択モードであれば（Ｓ１２でＹＥＳ）、制御部１１は、現在選択されているフォルダの次の（又は前の）フォルダまでスキップし、当該フォルダを選択し、表示部２０に選択したフォルダ名を表示させる。例えば、ジョグダイヤル１５ａが右方向（時計方向）に回転されたとき、制御部１１は現在選択されているフォルダの次のフォルダまでスキップし、当該フォルダを選択し、表示部２０に表示させる。一方、ジョグダイヤル１５ａが左方向（反時計方向）に回転されたとき、制御部１１は現在選択されているフォルダの前のフォルダまでスキップし、当該フォルダを選択し、表示部２０に表示させる。
【００４７】
以上の処理によって、再生中における曲データの選択操作を非常に簡単化することができる。なお、Ｓ４、Ｓ１１の処理を設けずに、再生中でなければ必ずＳ５、Ｓ１２に進むようにしてもよい。
【００４８】
次に、本発明の別の実施例を説明する。本例では、ジョグダイヤル１５ａが押下された際に、再生中であるか否かによって、現在選択されているフォルダの次のフォルダの先頭の曲データまでスキップするか、現在選択されているフォルダの前のフォルダの先頭の曲データまでスキップするかが変更されるようになっている。図７は、本例の処理を示すフローチャートである。
【００４９】
制御部１１は、ジョグダイヤル１５ａが押下されたか否かを判断する（Ｓ１）。ジョグダイヤル１５ａが押下されない場合（Ｓ１でＮＯ）、Ｓ８に進む。ジョグダイヤルが押下された場合（Ｓ１でＹＥＳ）、制御部１１は選択された曲データを再生中か否かを判断する（Ｓ２）。再生中であれば（Ｓ２でＹＥＳ）、制御部１１は、現在選択されているフォルダの次のフォルダを選択し、当該フォルダの先頭の曲データを選択し、表示部２０に表示させて、再生を開始させる（Ｓ３）。例えば、曲Ｂ２を再生中にジョグダイヤル１５ａが押下された場合には、曲Ｃ１が選択されて再生開始される。
【００５０】
一方、再生中でなければ（Ｓ２でＮＯ）、制御部１１は、現在選択されているフォルダの前のフォルダを選択し、当該フォルダの先頭の曲データを選択し、表示部２０に表示させる（Ｓ１５）。例えば、曲Ｂ２が選択され再生されていないときにジョグダイヤル１５ａが押下された場合には、曲Ａ１が選択される。なお、Ｓ８、Ｓ１０の処理は図４と同じである。
【００５１】
以上の処理によって、ジョグダイヤル１５ａの押下のみによって、現在選択されているフォルダから、次のフォルダにスキップさせる処理と、前のフォルダにスキップさせる処理との両方を実行することができる。
【００５２】
次に、本発明のさらに別の実施例を説明する。本例では、ジョグダイヤル１５ａが押下された際に、ディスク内に複数のフォルダが存在するか否かによって、現在選択されているフォルダの次のフォルダの先頭の曲データまでスキップするか（フォルダ選択処理）、現在選択されている曲データの次の曲データまでスキップするか（曲選択処理）が変更されるようになっている。図８は、本例の処理を示すフローチャートである。
【００５３】
制御部１１は、ジョグダイヤル１５ａが押下されたか否かを判断する（Ｓ１）。ジョグダイヤル１５ａが押下されない場合（Ｓ１でＮＯ）、Ｓ８に進む。ジョグダイヤル１５ａが押下された場合（Ｓ１でＹＥＳ）、制御部１１は、ディスク内にフォルダ（詳細には実際に曲データが含まれているフォルダ）が複数存在するか否かを判断する（Ｓ２１）。フォルダが複数存在する場合（Ｓ２１でＹＥＳ）、制御部１１は、現在選択されているフォルダの次の（又は前の）フォルダを選択し、当該フォルダの先頭の曲データを選択し、表示部２０に表示させて、必要に応じて再生を開始させる（Ｓ３）。例えば、図３のようにフォルダＡ〜Ｃの３つのフォルダが存在し、曲Ｂ２が選択されている際にジョグダイヤル１５ａが押下された場合には、曲Ｃ１が選択されて表示される。
【００５４】
一方、フォルダが複数存在しない（つまり、フォルダが１つしか存在しない、又は、フォルダが存在せずに直接曲データが記録されている）場合（Ｓ２１でＮＯ）、制御部１１は、現在選択されている曲データの次の（又は前の）曲データを選択し、表示部２０に表示させ、必要に応じて再生開始させる（Ｓ１０）。例えば、図３において、フォルダＡしか存在せず、曲Ａ２が選択されている際にジョグダイヤル１５ａが押下された場合には、曲Ａ３が選択されて表示される。
【００５５】
以上の処理によって、ジョグダイヤル１５ａの押下操作のみによって、フォルダが複数存在するときには現在選択されているフォルダから次のフォルダにスキップさせる処理と、フォルダが複数存在しないときには現在選択されている曲データの次の曲データにスキップさせる処理との両方を実行することができる。
【００５６】
なお、図８のＳ２１において、ディスクにフォルダが１つ以上存在するか否かを判断するようにしてもよい。つまり、フォルダが１つ以上存在する場合はＳ３に進み、フォルダが存在しない場合はＳ１０に進む。この場合、フォルダが１つしか存在しないときにジョグダイヤル１５ａが押下された場合にも、Ｓ３に進むが、次のフォルダは存在しないので、結局同じフォルダの先頭の曲を選択することになる。例えば、ディスク内にフォルダＡのみが存在し、曲Ａ２が選択されている際にジョグダイヤル１５ａが押下されると、フォルダＡの曲Ａ１が選択される。なお、このとき、先頭の曲Ａ１が選択されるのではなく、現在選択されている曲Ａ２のまま選択を維持してもよい。
【００５７】
また、図８のＳ２１において、ＣＤプレーヤに挿入されたディスクがフォルダ構造を有するＣＤ−ＲＯＭディスクであるか否かを判断するようにしてもよい。つまり、ＣＤ−ＲＯＭディスクであればＳ３に進み、フォルダ構造を有さないＣＤＤＡ（Compact Disc Digital Audio）ディスクであれば、Ｓ１０に進むようにしてもよい。同様に、セレクタ部１２がＭＤプレーヤを選択している場合には、グループ構造を有するＭＤディスクであればＳ３に進み、グループ構造を有さないＭＤディスクであればＳ１０に進むようにしてもよい。また、セレクタ部１２がＵＳＢ端子を選択している場合には、Ｓ３に進むようにするとよい。
【００５８】
次に、本発明のさらに別の実施例を説明する。本例は、セレクタ部１２によるＦＭラジオ／ＡＭラジオ（複数種類の放送データと定義する。）の入力切換処理と、プリセット登録されているチャンネル（ラジオ局の周波数）の選択処理とを、ジョグダイヤル１５ａの操作のみによって実行する。メモリ１１ａには図９に示すプリセットテーブルが格納されている。プリセットテーブルは、ＦＭラジオおよびＡＭラジオ毎に、複数のプリセット番号（例えば、５つのプリセット番号ＰＲ１〜ＰＲ５）に対応付けて、チャンネルが登録されている。プリセットテーブルは、ユーザ操作に応じてチャンネルが登録されてもよく、予め増幅装置１の製造者によって登録されてもよい。
【００５９】
図１０は本例の処理を示すフローチャートである。制御部１１は、ジョグダイヤル１５ａが押下されたか否かを判断する（Ｓ３１）。ジョグダイヤル１５ａが押下されない場合（Ｓ３１でＮＯ）、Ｓ３３に進む。ジョグダイヤル１５ａが押下された場合（Ｓ３１でＹＥＳ）、制御部１１は、セレクタ部１２が現在選択するラジオ放送がＦＭラジオである場合にはＡＭラジオに、又、セレクタ部１２が現在選択するラジオ放送がＡＭラジオである場合にはＦＭラジオに変更させる（Ｓ３２）。すなわち、現在選択されている放送の種類の次の（又は前の）放送の種類を選択する。この場合には、入力をＦＭラジオとＡＭラジオとの間で切り換える。その後、Ｓ３３に進む。
【００６０】
続いて、制御部１１は、ジョグダイヤル１５ａが回動されたか否かを判断する（Ｓ３３）。ジョグダイヤル１５ａが回動されない場合（Ｓ３３でＮＯ）、Ｓ３１に戻る。ジョグダイヤル１５ａが回動された場合（Ｓ３３でＹＥＳ）、制御部１１は、受信するチャンネルを現在選択されているチャンネルから次の（又は前の）チャンネルに変更するようにＦＭチューナ又はＡＭチューナを制御する（Ｓ３４）。例えば、ジョグダイヤル１５ａが右方向に回転されたとき、制御部１１は、受信するチャンネルを現在選択されているチャンネルから次のチャンネルに変更させる。例えば、セレクタ部１２がＦＭラジオを選択しており、プリセット番号ＰＲ２（周波数Ｆ２）が選択されている状態で、ジョグダイヤル１５ａが右方向に回転された場合、制御部１１は次のチャンネルであるプリセット番号ＰＲ３（周波数Ｆ３）を選択する。
【００６１】
一方、ジョグダイヤル１５ａが左方向に回転されたとき、制御部１１は、受信するチャンネルを現在選択されているチャンネルから前のチャンネルに変更させる。例えば、セレクタ部１２がＦＭラジオを選択しており、プリセット番号ＰＲ２（周波数Ｆ２）が選択されている状態で、ジョグダイヤル１５ａが左方向に回転された場合、制御部１１は前のチャンネルであるプリセット番号ＰＲ１（周波数Ｆ１）を選択する。
【００６２】
以上の処理によって、ジョグダイヤル１５ａのみを使って、セレクタ部１２によるＦＭラジオ／ＡＭラジオの入力切換処理と、プリセット登録されているチャンネル（ラジオ局の周波数）の選択処理とを実行することができる。
【００６３】
以上、本発明の好ましい実施形態を説明したが、本発明はこれらの実施形態には限定されない。操作部１５の代わりにリモコン送信機３０のジョグダイヤルが押下操作及び回動操作された場合に上記の各処理が実行されるようにしてもよい。ＦＭラジオ／ＡＭラジオの代わりにＴＶ放送に上記処理を実行してもよい。本発明は、上記の動作をコンピュータに実行させるためのコンピュータプログラムという形態で提供することもできる。
【産業上の利用可能性】
【００６４】
本発明は、システムコンポ、ＡＶアンプ、ＰＣ等に好適に採用され得る。
【図面の簡単な説明】
【００６５】
【図１】増幅装置１の構成示す概略ブロック図である。
【図２】操作部１５の外観を示す概略図である。
【図３】ディスクに記録されているフォルダ及び曲データのデータ構造を示す図である。
【図４】曲選択処理の基本動作を示すフローチャートである。
【図５】選択されるフォルダ及び曲データの遷移を示す概念図である。
【図６】曲選択処理の詳細動作を示すフローチャートである。
【図７】曲選択処理の変形例を示すフローチャートである。
【図８】曲選択処理の変形例を示すフローチャートである。
【図９】プリセットテーブルを示す図である。
【図１０】入力切換処理及びチャンネル選択処理を示すフローチャートである。
【符号の説明】
【００６６】
１              増幅装置
１１            制御部
１２            セレクタ部
１３            リモコン信号受信部
１５            操作部
１５ａ          ジョグダイヤル
１５ｂ          フォルダボタン
１６            ＵＳＢ端子
１８            増幅回路
１９            音声出力端子
２０            表示部
２１            ＣＤプレーヤ
２２            ＭＤプレーヤ
２３            ＨＤＤプレーヤ
２４            ＦＭチューナ
２５            ＡＭチューナ
【図１】
2010055660.tif 000003
【図２】
2010055660.tif 000004
【図３】
2010055660.tif 000005
【図４】
2010055660.tif 000006
【図５】
2010055660.tif 000007
【図６】
2010055660.tif 000008
【図７】
2010055660.tif 000009
【図８】
2010055660.tif 000010
【図９】
2010055660.tif 000011
【図１０】
2010055660.tif 000012